(57)【要約】【課題】メンテナンス性の向上を目的とする。【解決手段】吹出口１と吸気口２とを有する本体ケース３と、本体ケース３内に設けた水を飛散させる加湿部４と、本体ケース３外の空気を吸気口２、加湿部４、吹出口１へと送風する送風機５とを備えている。加湿部４は、水を飛散させる回転体１１と、回転体１１を回転させるモータ部１２と、回転体に水を供給する供給部とを有している。モータ部１２は吸気口２に対向し、モータ部１２を支持する支持部２０と、本体ケース３に対して支持部２０を上下方向に移動自在に連結する可動連結部２１とを備えたことを特徴としている。【選択図】図２
2018091570.tif 000002
【特許請求の範囲】
【請求項１】
吹出口と吸気口とを有する本体ケースと、
前記本体ケース内に設けた水を飛散させる加湿部と、
前記本体ケース外の空気を前記吸気口、前記加湿部、前記吹出口へと送風する送風機とを備え、
前記加湿部は、
水を飛散させる回転体と、
前記回転体を回転させるモータ部と、
前記回転体に水を供給する供給部とを有し、
前記モータ部は前記吸気口に対向し、
前記モータ部を支持する支持部と、
前記本体ケースに対して前記支持部を上下方向に移動自在に連結する可動連結部とを備えたことを特徴とする加湿装置。
【請求項２】
前記可動連結部は、
前記支持部に設けられ水平方向に延びた軸部分と、
前記本体ケースに設けられ前記軸部分を回動自在に支持する軸受部分とを有することを特徴とする請求項１に記載の加湿装置。
【請求項３】
前記支持部を所定の位置で保持する保持部を備えたことを特徴とする請求項１または２に記載の加湿装置。
【請求項４】
前記保持部は、
前記軸受部分に設けた切欠部分と、
前記切欠部分の下端から外方へ突出した突起部分とを有し、
前記支持部が所定の位置の状態において前記支持部を水平方向へ移動させると前記支持部の一部が前記切欠部分に入り、前記突起部分に当たることを特徴とする請求項３に記載の加湿装置。
【請求項５】
前記モータ部は、前記モータ部から延びた電源線を備え、
前記電源線は前記支持部と前記軸部分の内部を通ることを特徴とする請求項２から４のいずれかに記載の加湿装置。
【請求項６】
前記供給部は水を貯水する貯水容器であり、
前記貯水容器内の水に前記回転体の下端が浸漬し、
前記貯水容器は、
前記本体ケースに着脱自在に設けられ、
前記保持部によって前記支持部を所定の位置で保持すると前記本体ケースから前記貯水容器を取り外すことができる請求項３から５に記載の加湿装置。
【発明の詳細な説明】
【技術分野】
【０００１】
本発明は、一般家庭や事務所等で使用される加湿装置に関するものである。
【背景技術】
【０００２】
従来、この種の加湿装置は、吸気口と吹出口を有する本体ケースと、本体ケース内に備えた吸気口と吹出口とを連通する風路と、風路に設けた送風機と、加湿部とを備えている。加湿部は、水を貯水する貯水容器と、モータと、回転板と、回転板に給水する給水部を有したものが知られている。（例えば、特許文献１参照）
【先行技術文献】
【特許文献】
【０００３】
【特許文献１】実開昭５８−１０８３２４号公報
【発明の概要】
【発明が解決しようとする課題】
【０００４】
従来、この種の加湿装置は、モータと、モータから下方に延びた回転軸と、回転軸に固定された円板形状の回転板と、回転板に給水する給水部を備えていた。回転板には、水が給水されるので、メンテナンスが必要となる。回転板は、本体に固定されたモータに固定され、移動できないので、メンテナンスに手間がかかるものであった。
【０００５】
そこで、本発明は加湿装置の回転板のメンテナンス性を向上させることを目的とするものである。
【課題を解決するための手段】
【０００６】
そして、この目的を達成するために、本発明は、吹出口と吸気口とを有する本体ケースと、前記本体ケース内に設けた水を飛散させる加湿部と、前記本体ケース外の空気を前記吸気口、前記加湿部、前記吹出口へと送風する送風機とを備え、前記加湿部は、水を貯水する貯水容器と、前記貯水容器内の水に下端が浸漬する回転体と、前記回転体を回転させるモータ部とを有し、前記モータ部を支持する支持部と、前記本体ケースに対して前記支持部を上下方向に移動自在に連結する可動連結部とを備えたことを特徴としたものである。
【０００７】
これにより、所期の目的を達成するものである。
【発明の効果】
【０００８】
以上のように本発明は、吹出口と吸気口とを有する本体ケースと、前記本体ケース内に設けた水を飛散させる加湿部と、前記本体ケース外の空気を前記吸気口、前記加湿部、前記吹出口へと送風する送風機とを備え、前記加湿部は、水を貯水する貯水容器と、前記貯水容器内の水に下端が浸漬する回転体と、前記回転体を回転させるモータ部とを有し、前記モータ部を支持する支持部と、前記本体ケースに対して前記支持部を上下方向に移動自在に連結する可動連結部とを備えている。
【０００９】
以上の構成により、モータ部と支持部と回転体とが移動するので、メンテナンス性を向上させることができる。
【図面の簡単な説明】
【００１０】
【図１】本発明の実施の形態の加湿装置の斜視図
【図２】同加湿装置の断面図
【図３】同加湿装置の加湿部の斜視図
【図４】同加湿装置の軸受部の分解図
【図５】同加湿装置の軸受部の断面図
【図６】同加湿装置の加湿部保持状態の断面図
【図７】同加湿装置の軸受の拡大図
【図８】同加湿装置の軸受部の斜視図
【図９】同加湿装置の本体ケースの斜視図
【発明を実施するための形態】
【００１１】
以下、本発明の実施形態について図面を参照しながら説明する。
（実施の形態）
図１は、本発明の実施の形態の加湿装置の斜視図であり、加湿装置を前面側から見た図である。図２は、本発明の実施の形態の加湿装置の断面図であり、加湿装置を右側から見た図である。
【００１２】
図１および図２に示すように、本実施形態の加湿装置は、略縦長箱形状の本体ケース３と、この本体ケース３内に設けた加湿部４と、送風機５とを備えている。
【００１３】
本体ケース３は、前面側の上部に吹出口１を有し、背面側には吸気口２を備えている。吹出口１には、開閉自在に設けられた風向調整手段７を備えている。風向調整手段７は、上下方向に回動する２枚の風向板である。吸気口２には、着脱可能なグリル８を備えている。グリル８は、多数の開口を有している。本体ケース３内には、本体ケース３の吸気口２から、加湿部４、送風機５を順次介して、吸気口２へ連通する風路３Ａを備えている。
【００１４】
加湿部４は、吸気口２と送風機５との間の風路３Ａに位置し、水を風路３Ａに飛散させる。加湿部４は、貯水容器９と、タンク部１０と、回転体１１と、モータ部１２と、固定刃１３と、加湿フィルター１４とを備えている。なお、貯水容器９は、供給部である。
【００１５】
貯水容器９は、上方が開口した椀形状であり、本体ケース３の下部に設けられている。貯水容器９内には、貯水容器９に水を供給するタンク部１０が装着されている。
【００１６】
タンク部１０は、弁機構（図示せず）によって、貯水容器９に一定量の水を供給する。
【００１７】
回転体１１は、上方が開口した略コップ形状であり、底面に複数の孔（図示せず）を有し、側面に複数のスリット（図示せず）を有している。タンク部１０によって供給された貯水容器９内の水に下端が浸漬するように配置され、回転体１１の上方には、回転軸が上下方向に延びたモータ部１２が設けられている。なお、モータ部１２は吸気口２に対向している。
【００１８】
モータ部１２によって、回転体１１が回転すると、貯水容器９内の水が底面の複数の孔から吸い上げられ、側面の複数のスリットから微細な水となり飛散する。回転体１１の外周には、複数の固定刃１３を備えている。
【００１９】
固定刃１３は、略縦長平板形状であり、回転体１１の回転軸に対して放射状に設けられている。回転体１１によって飛散した微細な水の一部は、固定刃１３に衝突し、更に微細な水となり再び飛散する。
【００２０】
加湿フィルター１４は、送風機５の上流側に隣接するように配置されている。つまり、加湿フィルター１４は、加湿部４における最も風下側に配置されている。加湿フィルター１４は、風路３Ａに飛散した微細な水を保水し、加湿された空気を通すものである。加湿フィルター１４の一例は、多数の繊維で作られたメッシュ形状である。
【００２１】
送風機５は、加湿部４と吹出口１の間の風路３Ａに位置し、スクロール形状のケーシング部１５と、このケーシング部１５に固定されたモータ部１７モータ部１７回転する羽根部１６とを備えている。ケーシング部１５は、上面には吐出口１５Ａ、側面には吸い込み口１８を備えている。モータ部１７によって羽根部１６が回転すると、本体ケース３外の空気が、本体ケース３の吸気口２から、加湿部４、ケーシング部１５の吸い込み口１８を介して送風機５内に送風され、ケーシング部１５の吐出口１５Ａから吹出口１へ送風される。
【００２２】
モータ部１２によって、回転体１１が回転すると、貯水容器９内の水が微細な水となり、風路３Ａ内に飛散する。この飛散した微細な水の一部は、固定刃１３に衝突し、更に微細な水となり再び飛散する。これらの微細な水は、送風機５によって、加湿フィルター１４へ送風され、加湿フィルター１４が湿った状態となる。送風機５によって加湿部４へ送風された空気は、風路内の微細な水と、加湿フィルター１４とによって加湿された空気となる。
【００２３】
図３は、本発明の実施の形態の加湿装置の加湿部の斜視図であり、加湿装置の背面側から見た図である。図４は、本発明の実施の形態の加湿装置の軸受部の分解図である。
【００２４】
図２、図３、図４、に示すように、本実施形態における特徴は、モータ部１２を支持する支持部２０と、本体ケース３に対して支持部２０を上下方向に移動自在に連結する可動連結部２１とを備えた点である。
【００２５】
これにより、モータ部１２に対向した吸気口２から回転体のメンテナンスを行う場合に、モータ部１２と支持部２０と回転体１１とが移動するので、回転体１１の下部もメンテナンスが容易になり、メンテナンス性を向上させることができる。
【００２６】
具体的には、支持部２０は、第１の連結部分２２と、枠部分２３と、脚部分２４とを備えている。モータ部１２と、第１の連結部分２２と、枠部分２３と、脚部分２４とは、一体に形成している。
【００２７】
第１の連結部分２２は、モータ部１２の側面から外方へ略放射状に延びた複数の棒形状である。第１の連結部分２２は、モータ部１２の回転軸方向に対して垂直な平面状に配置されている。これらの第１の連結部分２２の先端が、枠部分２３によって連結されている。枠部分２３は、上方から見るとＵ字形状である。
【００２８】
脚部分２４は、枠部分２３から下方に２本延びている。脚部分２４は、略縦長四角形状であり、水平断面形状はＨ形状である。脚部分２４の先端が、貯水容器９の底面に当たっている。
【００２９】
可動連結部２１は、軸部分２５と、軸受部分２６とを備えている。軸受部分２６は、軸部分２５を回動自在に支持する。
【００３０】
軸部分２５は、軸方向が水平方向に延びた円柱形状であり、支持部２０におけるＵ字形状の枠部分２３の２つの先端を連結するように設けられている。枠部分２３は、軸部分２５から軸部分２５の軸方向に対して垂直方向に延びている。これにより、軸部分２５が回動すると、枠部分２３が上下方向に回動する。
【００３１】
図５は、本発明の実施の形態の加湿装置の軸受部の断面図であり、加湿装置の右側から見た図である。
【００３２】
図４、図５に示すように、軸受部分２６は、軸受窪み２７と、軸受カバー２８とを備えている。
【００３３】
軸受窪み２７は、本体ケース３内に設けられ、本体ケース３における前面側から背面側に向かって凹んでいる。軸受窪み２７は、軸方向が水平方向に延びた半円柱形状であり、軸受窪み２７内に、軸部分２５が入る。
【００３４】
軸受カバー２８は、固定板２９と、軸受板３０とを備えている。
【００３５】
固定板２９は、横長四角板であり、垂直方向に平面を備えている。固定板２９は、複数の孔３１を有している。これらの孔３１を介して、ねじ（図示せず）により本体ケース３内に固定されている。
【００３６】
軸受板３０は、固定板２９の上端から上方へ延びた円弧形状の板である。軸受窪み２７に軸部分２５を入れ、固定板２９を本体ケース３に固定すると、軸受板３０が軸部分２５の一部を覆い、軸受窪み２７の軸と、軸部分２５の軸と、軸受板３０の軸とは、同軸上に配置される。これにより、軸部分２５は、軸受窪み２７と、軸受板３０とによって回動自在に支持される。
【００３７】
軸受板３０は、第１の軸受板３２と、第２の軸受板３３と、第３の軸受板３４と、第４の軸受板３５とを備えている。本体ケース３における（左側）一方側から（右側）他方側へ向かって順に、第１の軸受板３２、第２の軸受板３３、第３の軸受板３４、第４の軸受板３５が配置されている。
【００３８】
第１の軸受板３２と第２の軸受板３３との間には、Ｕ字形状の枠部分２３の（左側）一方側先端部分３６が配置され、第３の軸受板と第４の軸受板との間には、Ｕ字形状の枠部分の（右側）他方側先端部分３７が配置されている。
【００３９】
以上の構成において、グリル８を吸気口２から外し、吸気口２を介して支持部２０を上方向へ移動させると、支持部２０に連結された軸部分２５が、軸受部分２６内を回動する。これに伴って、Ｕ字形状の枠部分２３の（左側）一方側先端部分３６が、第１の軸受板３２と第２の軸受板３３との間を上方へ、Ｕ字形状の枠部分の（右側）他方側先端部分３７が、第３の軸受板３４と第４の軸受板３５との間を上方へ移動する。結果として、モータ部１２と支持部２０と回転体１１とが上方へ移動するので、回転体１１の下部もメンテナンスが容易になり、メンテナンス性を向上させることができる。（図６参照）
図７は、本発明の実施の形態の加湿装置の加湿装置の軸受の拡大図であり、加湿装置の右側から見た図である。図８は、本発明の実施の形態の加湿装置の軸受部の斜視図である。
【００４０】
図５、図７、図８に示すように、支持部２０を所定の位置で保持する保持部３８を備えたものである。
【００４１】
保持部３８は、切欠部分３９と、突起部分４０とを有している。
【００４２】
切欠部分３９は、略四角形状であり、第２の軸受板における（左側）一方側に配置されている。切欠部分３９は、枠部分２３の（左側）一方側先端部分３６が入る大きさである。突起部分４０は、切欠部分３９の下端から外方へ突出している。
【００４３】
これにより、支持部２０が所定の位置の状態において支持部２０を（左右方向）水平方向へ移動させると支持部２０の一部、（左側）一方側先端部分３６が切欠部分３９に入る。（左側）一方側先端部分３６の下端が突起部分４０に当たるので、支持部２０を所定の位置で保持することができる。
【００４４】
また、モータ部１７は、モータ部１７から延びた電源線４１を備え、電源線４１は支持部２０と軸部分２５の内部を通る。具体的には、支持部２０は、モータ部１２の側面から軸部分２５へ延びた第２の連結部分４４を備えている。第２の連結部分４４と軸部分２５との内部には、空洞を有している。モータ部１２から延びた電源線４１は、支持部２０である第２の連結部分４４と軸部分２５の空洞を介して、風路３Ａ外まで延びている。これにより、電源線４１が、風路３Ａ内に露出しないので、メンテナンス時に、誤って電源線４１を引っ掛けることを防止できる。
【００４５】
図９は、本発明の実施の形態の加湿装置の本体ケースの斜視図であり、加湿装置の背面側から見た図である。
【００４６】
図９に示すように、供給部は水を貯水する貯水容器９であり、貯水容器９は本体ケース３に着脱自在に設けられている。回転体１１の下端は、貯水容器９内の水に浸漬している。本体ケース３の（左側）一方側の側面と、本体ケースの（右側）他方側とには、それぞれ開口４２を備え、それぞれの開口４２には着脱自在なカバー４３を備えている。このカバー４３を開口４２から外すと、貯水容器９は、本体ケース３から開口４２を介して水平方向に引き出すことができる。これにより、保持部３８によって支持部２０を所定の位置で保持すると、支持部２０の下端が、貯水容器９の上端よりも上方へ配置されるので、本体ケース３から貯水容器９を取り外すことができる。（図６、図８参照）
【産業上の利用可能性】
【００４７】
家庭用や事務用などの加湿器等としての活用が期待されるものである。
【符号の説明】
【００４８】
１    吹出口
２    吸気口
３    本体ケース
３Ａ    風路
４    加湿部
５    送風機
７    風向調整手段
８    グリル
９    貯水容器
１０    タンク部
１１    回転体
１２    モータ部
１３    固定刃
１４    加湿フィルター
１５    ケーシング部
１６    羽根部
１７    モータ部
１８    吸い込み口
２０    支持部
２１    可動連結部
２２    第１の連結部分
２３    枠部分
２４    脚部分
２５    軸部分
２６    軸受部分
２７    軸受窪み
２８    軸受カバー
２９    固定板
３０    軸受板
３１    孔
３２    第１の軸受板
３３    第２の軸受板
３４    第３の軸受板
３５    第４の軸受板
３６    一方側先端部分
３７    他方側先端部分
３８    保持部
３９    切欠部分
４０    突起部分
４１    電源線
４２    開口
４３    カバー
４４    第２の連結部分
【図１】
2018091570.tif 000003
【図２】
2018091570.tif 000004
【図３】
2018091570.tif 000005
【図４】
2018091570.tif 000006
【図５】
2018091570.tif 000007
【図６】
2018091570.tif 000008
【図７】
2018091570.tif 000009
【図８】
2018091570.tif 000010
【図９】
2018091570.tif 000011